(57)【要約】      （修正有）【課題】簡単に実現でき且つ、小さい操作力を許容する回転型ライトスイッチを提供する。【解決手段】自動車用の回転型ライトスイッチは、ハウジング１０と、回転可能に取り付けられた操作部材１４とを有している。ハウジングの周壁２４にて、カム面２６がリセス部とされており、該カム面は、周方向に移動し且つ操作部材から軸方向に離れる方向に向けて軸方向に上昇する。カム従動子２２が操作部材１４から半径方向に突出する且つ操作部材の回転時、カム面上を上昇し、カム面に軸方向にのみ当接し且つ操作部材１４を軸方向に移動するように付勢する。【選択図】  図３
2006278342.tif 000002
【特許請求の範囲】
【請求項１】
周壁（２４）を有するハウジング（１０）と、
該ハウジング（１０）内において軸線の周りで回転可能に且つ軸方向に移動可能に取り付けられた操作部材（１４）であって、半径方向に突出するカム従動子（２２）を有する前記操作部材（１４）と、
軸方向に上昇するカム面（２６）であって、操作部材（１４）が回転するときに前記カム従動子（２２）が前記カム面（２６）上で軸方向に当接する回転型ライトスイッチにおいて、
操作部材（１４）が、複数の回転スイッチ位置間で回転可能であり、且つ複数の軸方向スイッチ位置間で軸方向移動可能であり、
前記カム面（２６）は周方向に伸び且つ操作部材（１４）から軸方向に離れる側でハウジングの周壁（２４）上に形成され、
前記カム従動子（２２）は前記操作部材（１４）が回転するときにカム面（２６）を上昇し、これにより前記操作部材（１４）が回転するときに該操作部材（１４）は２つの軸方向スイッチ位置間で軸方向移動するよう付勢され、
操作部材（１４）は、一つの軸方向スイッチ位置において、複数の回転スイッチ位置のうち次の回転スイッチ位置へ移動するべく回転可能である、
回転型ライトスイッチ。
【請求項２】
請求項１に記載の回転型ライトスイッチにおいて、
前記カム従動子（２２）が、半径方向移動成分を有することなく前記カム面（２６）に当接する、回転型ライトスイッチ。
【請求項３】
請求項１に記載の回転型ライトスイッチにおいて、
前記カム面（２６）が、操作部材（１４）と同軸状の円筒状周壁（２４）上に形成される、回転型ライトスイッチ。
【請求項４】
請求項３に記載の回転型ライトスイッチにおいて、
前記カム面（２６）が、周壁（２４）の凹部によって形成される、回転型ライトスイッチ。
【請求項５】
請求項３に記載の回転型ライトスイッチにおいて、
前記ハウジング（１０）が、操作部材（１４）を取り巻くリング形状スイッチ遮蔽体（１２）を備え、
前記周壁（２４）が該スイッチ遮蔽体（１２）に接続される、回転型ライトスイッチ。
【請求項６】
請求項１乃至５の何れかに記載の回転型ライトスイッチにおいて、
前記カム面（２６）が、軸方向に直線状に上昇する、回転型ライトスイッチ。
【請求項７】
請求項１乃至５の何れかに記載の回転型ライトスイッチにおいて、
前記カム面（２６）が、軸方向に上昇する部分と、周方向に向けて該部分に隣接する軸方向に上昇しない部分とを有する、回転型ライトスイッチ。
【請求項８】
請求項１乃至５の何れかに記載の回転型ライトスイッチにおいて、
軸方向に上昇する前記カム面（２６）が、２つの隣接するスイッチ位置の間の操作部材（１４）の回転に対応する回転角度にわたって伸びる、回転型ライトスイッチ。
【発明の詳細な説明】
【技術分野】
【０００１】
本発明は、ハウジングと、該ハウジング内に回転可能に取り付けられた操作部材とを備える回転型ライトスイッチに関する。
【背景技術】
【０００２】
自転車用の回転型ライトスイッチは、通常、操作部材を回転させることによりその間にてスイッチ切換えが行われる「オフ」、「パーキングライト」及び「交通ライト」に対するスイッチ位置と、操作部材が軸方向に移動することによりその間にてスイッチ切換えが行われる「フォグライト」、又は「フロントフォグライト」及び「リアフォグライト」に対する追加的なスイッチ位置とを有する。フォグライトは、交通ライト又は少なくともパーキングライトと組み合わせてのみ可能であるから、操作部材の回転位置／軸方向位置の特別な組み合わせを阻止するための措置が講じられる。
【０００３】
ドイツ国特許第ＤＥ  ３８  ３４  ３９０  Ｃ１号から、その操作部材が２つの制御ピンを有し、これら２つの制御ピンが、ばね力によって半径方向外方に押圧される回転型ライトスイッチが既知である。これらのピンの外端は、球状の形状に丸味が付けられており、また、該外端は、ハウジングの内面に配置された、案内通路内を移動する。案内通路には、一方にて、スイッチ位置を画成するためのいろいろな移動止め領域（ｄｅｔｅｎｔ  ｚｏｎｅ）を形成し、また、他方にて、軸方向に上昇する領域を有するプロフィール軌道が設けられ、該軸方向に上昇する領域は、プロフィール軌道の特定の周縁領域の上方で回転するとき、操作部材に対し軸方向への移動成分を付勢する。
【特許文献１】ドイツ国特許第ＤＥ  ３８  ３４  ３９０  Ｃ１号
【発明の開示】
【発明が解決しようとする課題】
【０００４】
前記案内通路は、複雑な幾何学形態を有しており、このため、製造が難しい。制御ピンはプロフィール軌道に対して半径方向に付勢されるため、操作部材の動きは、著しい摩擦抵抗を受け、このため、比較的大きい操作力が必要である。
【課題を解決するための手段】
【０００５】
本発明は、特に簡単に実現でき且つ、小さい操作力を許容する回転型ライトスイッチを提供するものである。本発明による回転型ライトスイッチにおいて、ハウジングにはカム面が設けられ、該カム面は、周方向に伸び且つ軸方向に上昇し且つ、操作部材から軸方向に離れる方向を向く。操作部材には、半径方向に突出するカム従動子が設けられ、該カム従動子は、操作部材が回転するとき、カム面上を移動し且つ、カム面上で軸方向にのみ休止する。理想的には、カム従動子は、何らの半径方向成分を有することなくカム面上に当接するようにする。その結果、カム従動子が軸方向に上昇するカム面上を移動するとき、操作部材が軸方向に移動するのに必要な軸方向力のみが発生する。カム面は、極めて簡単な幾何学的形態を有する。該カム面は、例えば、軸方向に直線状に上昇する部分と、該部分に隣接するが、軸方向に上昇しない部分とから成ることが好ましい。
【０００６】
好ましい実施の形態において、カム面は、操作部材を取り巻くリング形状のスイッチ遮蔽体の内面に形状された周壁におけるリセス部によって形成される。
本発明の更なる特徴及び有利な点は、添付図面に関する、１つの好ましい実施の形態の以下の説明から明らかになるであろう。
【発明を実施するための最良の形態】
【０００７】
図１に図示した回転型ライトスイッチは、端面にリング形状のスイッチ遮蔽体１２を有する、全体として円形円筒状のハウジング１０を備えており、該スイッチ遮蔽体１２は、回転ノブの形体をした操作部材１４を取り巻いている。このスイッチ遮蔽体１２には、操作部材１４の複数の回転位置を示す記号１６が設けられている。スイッチ遮蔽体１２における更なる記号１８は、回転型ライトスイッチの軸方向位置と関係している。スイッチ遮蔽体１２は、ハウジング１０の前端に装着されている。
【０００８】
図２から理解し得るように、操作部材１４は、軸方向駆動ハブ２０を有しており、該軸方向駆動ハブ２０には、スイッチ機構（図示せず）のスイッチ軸が結合されており、共に回転し得るように接続され且つ、軸方向に固定されている。更に、操作部材１４は、半径方向指状体の外端に形成された、半径方向外方に突出し、ピンの形態をしたカム従動子２２を有している。操作部材１４と同軸状の全体として円筒状の周壁２４がハウジング１０上に形成されている。周壁２４には、互いに隣接する２つのカム部分２６ａ、２６ｂから成る凹形状のカム面２６が形成されている。カム面２６のカム部分２６ａは、操作部材１４から離れる方向に向けて、軸方向に上昇する面を有している。同様に、カム面２６のカム部分２６ｂは、操作部材１４から離れる方向に面しているが、軸方向には上昇しない面を有している。操作部材１４が回転するとき、カム従動子２２は、カム面２６のカム部分２６ｂにて軸方向に上昇移動する。操作部材１４を更に回転させることにより、該操作部材は、カム面２６のカム部分２６ａが軸方向に上昇する方向に向けた軸方向移動するよう付勢される。
【０００９】
図３には、操作部材１４の可能な軸方向スイッチ位置が図示されている。カム従動子２２は、操作部材１４を引張ることにより調節される軸方向スイッチ位置に対応する、カム面２６のカム部分２６ａ、２６ｂ間の移り変わり位置に配置されている。この軸方向スイッチ位置において、フォグライトが点灯する。これと同時に、操作部材１４が所定の回転位置にあると、例えば、パーキングライトのような、車のライトが点灯する。同一の軸方向スイッチ位置において、操作部材１４が時計回り方向に回転されて、例えば、交通ライトがスイッチオンされる次の回転位置を調節することができる。他方、操作部材１４が「オフ」スイッチ位置まで反時計回り方向に回転されることにより、該操作部材１４が図３に示した回転位置から回転されるならば、カム従動子２２は、カム面２６の軸方向に上昇するカム部分２６ａ上で上昇し、このため、操作部材１４は、フォグライトがスイッチオフとされる軸方向スイッチ位置へ付勢される。
【００１０】
カム面２６は、設計条件に従って任意の所望の形状にて、容易に製造することができる。図示した実施の形態において、軸方向に上昇するカム部分２６ａは直線状に上昇する。所望のスイッチ切換えの感触に従って、この経路は、前進的又は下降的（ｐｒｏｇｒｅｓｓｉｖｅ  ｏｒ  ｄｅｇｒｅｓｓｉｖｅ）にすることができる。カム従動子２２は、幅狭なカム面２６上にて軸方向に圧接するだけであるから、発生する摩擦は最小であり、このため、回転型ライトスイッチを小さい操作力にて作動させることができる。
【図面の簡単な説明】
【００１１】
【図１】回転型ライトスイッチの斜視図である。
【図２】回転型ライトスイッチの制御部品の斜視図である。
【図３】図２に図示した制御部品の断面図である。
【符号の説明】
【００１２】
１０    ハウジング
１２    スイッチ遮蔽体
１４    操作部材
１６    操作部材の回転位置を示す記号
１８    スイッチ遮蔽体における記号
２０    軸方向駆動ハブ
２２    カム従動子
２４    周壁
２６    カム面
２６ａ、２６ｂ    カム面のカム部分
【図１】
2006278342.tif 000003
【図２】
2006278342.tif 000004
【図３】
2006278342.tif 000005